(57)【特許請求の範囲】
【請求項１】
螺旋状の突条よりなる螺子部が形成されたスクリュータイプのデンタルインプラントに紫外線を照射するデンタルインプラント用光照射装置であって、
筐体と、
この筐体内に設けられた、複数のデンタルインプラントが、その螺子部の先端が上方を向くよう垂立した姿勢で、一方向に沿って並ぶよう配置されて保持されるステージと、
前記筐体内において、前記ステージに保持された複数のデンタルインプラントからなるインプラント群における前記一方向に平行な両側に配置された紫外線放射ランプと
を備えてなり、
前記紫外線放射ランプは、空気中の酸素からオゾンを生成し得る紫外線を放射するものであり、
前記紫外線放射ランプから放射される紫外線が、前記ステージに保持された複数のデンタルインプラントの各々の螺子部を形成する突条の表面全面に照射されると共に、当該螺子部にオゾンが接触することを特徴とするデンタルインプラント用光照射装置。
【請求項２】
前記筐体内には、前記紫外線放射ランプからの紫外線を反射する反射鏡が配置されており、当該紫外線放射ランプからの直接光および当該反射鏡からの反射光によって、複数のデンタルインプラントの各々の螺子部を形成する突条の表面全面に紫外線が照射されることを特徴とする請求項１に記載のデンタルインプラント用光照射装置。
【請求項３】
前記ステージの表面が光反射面とされていることを特徴とする請求項１または請求項２に記載のデンタルインプラント用光照射装置。
【発明の詳細な説明】
【技術分野】
【０００１】
本発明は、螺旋状の突条よりなる螺子部を有するスクリュータイプのデンタルインプラントに紫外線を照射するデンタルインプラント用光照射装置に関するものである。
【背景技術】
【０００２】
デンタルインプラントは、失われた歯の機能を代用させることを目的として顎骨に埋め込まれるものであり、このようなデンタルインプラントとしては、特許文献１に、歯槽骨等に埋入される螺旋状の突条よりなる螺子部が形成されたスクリュータイプのものが記載されている。
そして、デンタルインプラント手術においては、デンタルインプラントが十分に骨と結合（オッセオインテグレーション）することが肝要であり、そのため、特許文献１では、デンタルインプラントに紫外線を照射して有機物を除去することが提案されている。
【０００３】
而して、このようなデンタルインプラントに紫外線を照射する光照射装置においては、歯槽骨等に埋入される螺子部に対して確実に紫外線を照射することができ、また、１回のデンタルプラント手術においては、通常、複数のデンタルインプラントが用いられることから、複数のデンタルインプラントに対して同時に紫外線を照射することができることが望まれる。
しかしながら、複数のスクリュータイプのデンタルインプラントに紫外線を照射するために適した光照射装置は、まだ知られていない。
【先行技術文献】
【特許文献】
【０００４】
【特許文献１】特許第３０７２３７３号公報
【発明の開示】
【発明が解決しようとする課題】
【０００５】
本発明は、以上のような事情に基づいてなされたものであって、その目的は、スクリュータイプのデンタルインプラントに対して所要の紫外線照射処理を確実に行うことができるデンタルインプラント用光照射装置を提供することにある。
【課題を解決するための手段】
【０００６】
本発明のデンタルインプラント用光照射装置は、螺旋状の突条よりなる螺子部が形成されたスクリュータイプのデンタルインプラントに紫外線を照射するデンタルインプラント用光照射装置であって、
筐体と、
この筐体内に設けられた、複数のデンタルインプラントが、その螺子部の先端が上方を向くよう垂立した姿勢で、一方向に沿って並ぶよう配置されて保持されるステージと、
前記筐体内において、前記ステージに保持された複数のデンタルインプラントからなるインプラント群における前記一方向に平行な両側に配置された紫外線放射ランプと
を備えてなり、
前記紫外線放射ランプは、空気中の酸素からオゾンを生成し得る紫外線を放射するものであり、
前記紫外線放射ランプから放射される紫外線が、前記ステージに保持された複数のデンタルインプラントの各々の螺子部を形成する突条の表面全面に照射されると共に、当該螺子部にオゾンが接触することを特徴とする。
【発明の効果】
【０００８】
本発明のデンタルインプラント用光照射装置によれば、処理室内に配置された紫外線放射ランプから放射された紫外線が、一方向に沿って並ぶよう配置された複数のデンタルインプラントの各々における螺子部を形成する突条の表面全面に照射されると共に、当該螺子部にオゾンが接触することにより、スクリュータイプのデンタルインプラントに対して所要の紫外線照射による洗浄処理を確実に行うことができる。
【図面の簡単な説明】
【０００９】
【図１】本発明のデンタルインプラント用光照射装置の一例における筐体内部の構成を示す説明用正面図である。
【図２】本発明のデンタルインプラント用光照射装置の一例における筐体内部の構成を示す説明用側面図である。
【図３】本発明のデンタルインプラント用光照射装置の他の例における筐体内部の構成を示す説明用正面図である。
【図４】本発明のデンタルインプラント用光照射装置の更に他の例における筐体内部の構成を示す説明用正面図である。
【発明を実施するための形態】
【００１０】
図１は、本発明のデンタルインプラント用光照射装置の一例における筐体内部の構成を示す説明用正面図であり、図２は、本発明のデンタルインプラント用光照射装置の一例における筐体内部の構成を示す説明用側面図である。
このデンタルインプラント用光照射装置（以下、単に「光照射装置」ともいう。）は、ピン状のデンタルインプラント（以下、単に「インプラント」ともいう。）１に紫外線を照射するために用いられるものであって、正面に開閉扉（図示省略）を有する全体の輪郭が直方体状の筐体１０を有し、この筐体１０の内部には、複数のインプラント１が配置される処理室１１が形成されていると共に、この処理室１１の上方に、当該処理室１１内に生じたオゾンを除去するオゾン除去室１２が形成されており、処理室１１およびオゾン除去室１２は、互いに隔壁１５によって区画されている。筐体１の処理室１１内に配置されるインプラント１の各々は、その一端部に螺旋状に形成された突条３よりなる螺子部２を有するスクリュータイプのものである。
【００１１】
筐体１０の処理室１１内には、複数のインプラント１が一方向（図１において紙面に垂直な方向、図２において左右方向）に沿って並ぶよう配置されて保持されるステージ２０が設けられている。具体的には、ステージ２０の表面２１には、それぞれインプラント１の他端部の外径に適合する内径の凹所よりなる複数の保持部２２が一方向に沿って並ぶよう形成されており、これらの保持部２２の各々に、インプラント１がその螺子部２の先端が上方を向くよう垂立した姿勢で当該インプラント１の他端部が挿入されて保持されることにより、複数のインプラント１がそれぞれの螺子部２が処理室１１内において露出した状態で一方向に沿って並ぶよう配置されている。このようにインプラント１の各々が処理室１１内において露出した状態で配置されることにより、後述する紫外線放射ランプ３０から放射される紫外線をインプラント１の螺子部２の突条３の表面全面に確実に照射することができる。
また、図示の例では、ステージ２０の表面は例えば鏡面加工が施されることによって後述する紫外線放射ランプ３０からの紫外線を反射する光反射面とされている。
また、ステージ２０は、筐体１０に対して着脱自在に設けられていてもよい。このような構成によれば、ステージ２０を筐体１０の外部に取り出すことが可能となるため、ステージ２０に対するインプラント１の取り付け作業、取り外し作業または交換作業を容易に行うことができる。
【００１２】
このステージ２０に保持された複数のインプラント１からなるインプラント群１Ｇにおける当該インプラント１が並ぶ一方向に平行な両側には、２つの紫外線放射ランプ３０が設けられている。具体的に説明すると、紫外線放射ランプ３０の各々は、それぞれインプライト１が並ぶ一方向に伸びる２つの直線状部分３２が湾曲部分３３によって連結されてなるＵ字管状の発光管３１を有し、２つの紫外線放射ランプ３０は、それぞれ発光管３１の２つの直線状部分３２の各々が互いに上下に位置する姿勢で、インプラント１における螺子部２およびその周辺の空間領域を介して、互いに対向するよう配置されている。また、紫外線放射ランプ３０の各々と処理室１１の側壁面との間には、紫外線放射ランプ３０からの紫外線を反射する、断面がコ字形の樋状の２つの反射鏡４０が、当該紫外線放射ランプ３０と対向するよう配置されている。
【００１３】
紫外線放射ランプ３０としては、波長２５４ｎｍおよび波長１８５ｎｍの紫外線を放射する低圧水銀ランプを用いることができる。また、紫外線放射ランプ３０からの紫外線の照度は、例えば発光管３１の管壁から１０ｍｍ離間した位置において約６ｍＷ／ｃｍ2 以上である。
紫外線放射ランプ３０として用いられる低圧水銀ランプの一例の仕様を挙げると、発光管が合成石英ガラス製で、発光長が２００ｍｍ、ランプ入力が２５Ｗである。
【００１４】
筐体１０のオゾン除去室１２内には、処理室１１内の雰囲気ガスを当該オゾン除去室１２を介して循環させるファン１６が配置され、このファン１６の上流側および下流側の各々に、オゾン除去フィルタ１７が配置されている。
【００１５】
このような光照射装置においては、ステージ２０の保持部２２の各々に、インプラント１をその螺子部２の先端が上方を向くよう垂立した姿勢で保持させ、この状態で、紫外線放射ランプ３０の各々を点灯させることにより、インプラント１における螺子部２を形成する突条３に対して、当該紫外線放射ランプ３０からの紫外線が直接照射されると共に反射鏡４０およびステージ２０の表面の各々に反射されて照射される結果、当該突条３の表面全面に紫外線が照射され、更に、処理室１１内の雰囲気ガス中の酸素に紫外線放射ランプ３０からの紫外線が照射されることによって、当該処理室１１内にはオゾンが生成されてインプラント１の螺子部２に接触する。このように、インプラント１の螺子部２を形成する突条３の表面全面すなわち突条３の上面３ａおよび下面３ｂの両方に紫外線が照射されると共に、当該螺子部２にオゾンが接触することにより、当該インプラント１の螺子部２に付着した有機物が分解除去され、これにより、インプラント１の洗浄処理が達成される。
【００１６】
そして、インプラント１の洗浄処理が終了して紫外線放射ランプ３０が消灯した後、ファン１６が作動して処理室１１内の雰囲気ガスがオゾン除去室１２内に配置されたオゾン除去フィルタ１７を介して循環されることにより、処理室１１内のオゾンの除去処理が行われ、その後、処理室１１内からインプラント１が取り出される。
【００１７】
以上において、紫外線放射ランプ３０からの紫外線の照射時間は、例えば５〜３０分間である。
また、紫外線が照射されることによって生成されるオゾンの濃度は、１００ｐｐｍ以上であることが好ましく、より好ましくは２００〜４００ｐｐｍである。
また、ファン１６の作動時間すなわちオゾンの除去処理時間は、例えば１０〜３００秒間である。
【００１８】
上記の光照射装置によれば、一方向に沿って並ぶよう配置された複数のインプラント１からなるインプラント群１Ｇにおける当該一方向に平行な両側には、２つの紫外線放射ランプ３０が当該インプラント１における螺子部２およびその周辺の空間領域を介して、互いに対向するよう配置され、更に、紫外線放射ランプ３０からの紫外線を反射する、断面がコ字形の樋状の２つの反射鏡４０が、当該紫外線放射ランプ３０と対向するよう配置されていることにより、複数のインプラント１の各々における螺子部２を形成する突条３に対して、紫外線放射ランプ３０からの直接光および反射鏡４０からの反射光が照射される結果、当該突条３の表面全面に紫外線が照射されるため、スクリュータイプのインプラント１に対する所要の紫外線照射処理を確実に行うことができる。
また、ステージ２０の表面が光反射面とされていることにより、紫外線放射ランプ３０からの紫外線が、ステージ２０の表面を介してインプラント１の各々における螺子部２に照射されるので、インプラント１に対する所要の紫外線照射処理を一層確実に行うことができる。
【００１９】
図３は、本発明のデンタルインプラント用光照射装置の他の例における筐体内部の構成を示す説明用正面図である。
この光照射装置においては、ステージ２０に一方向（図３において紙面に垂直な方向）に並ぶよう配置されて保持された複数のインプラント１からなるインプラント群（図２参照）の上方位置に、インプラント１が並ぶ一方向に伸びる直管状の発光管３１を有する紫外線放射ランプ３０が配置され、紫外線放射ランプ３０からの紫外線を反射する、断面が略楕円形の光反射面を有する反射鏡４０が、ステージ２０、当該ステージ２０に保持された複数のインプラント１からなるインプラント群、および紫外線放射ランプ３０を取り囲むよう配置されている。その他の構成は、図１および図２に示す光照射装置と同様である。
【００２０】
このような光照射装置においては、ステージ２０の保持部２２の各々に、インプラント１をその螺子部２の先端が上方を向くよう垂立した姿勢で保持させ、この状態で、紫外線放射ランプ３０の各々を点灯させることにより、インプラント１における螺子部２を形成する突条３に対して、当該紫外線放射ランプ３０からの紫外線が直接照射されると共に反射鏡４０およびステージ２０の表面の各々に反射されて照射される結果、当該突条３の表面全面に紫外線が照射され、更に、処理室１１内の雰囲気ガス中の酸素に紫外線放射ランプ３０からの紫外線が照射されることによって、当該処理室１１内にはオゾンが生成されてインプラント１の螺子部２に接触する。このように、インプラント１の螺子部２を形成する突条３の表面全面に紫外線が照射されると共に、当該螺子部２にオゾンが接触することにより、当該インプラント１の螺子部２に付着した有機物が分解除去され、これにより、インプラント１の洗浄処理が達成される。
そして、インプラント１の洗浄処理が終了して紫外線放射ランプ３０が消灯した後、処理室１１内のオゾンの除去処理が行われ、その後、処理室１１内からインプラント１が取り出される。
以上において、紫外線放射ランプ３０からの紫外線の照射時間、紫外線が照射されることによって生成されるオゾンの濃度、およびファン１６の作動時間は、図１および図２に示す光照射装置と同様である。
【００２１】
上記の光照射装置によれば、一方向に沿って並ぶよう配置された複数のインプラント１からなるインプラント群１Ｇの上方位置に、インプラント１が並ぶ一方向に伸びる直管状の発光管３１を有する紫外線放射ランプ３０が配置され、更に、紫外線放射ランプ３０からの紫外線を反射する、断面が略楕円形の光反射面を有する反射鏡４０が、ステージ２０、当該ステージ２０に保持された複数のインプラント１からなるインプラント群、および紫外線放射ランプ３０を取り囲むよう配置されていることにより、複数のインプラント１の各々における螺子部２を形成する突条３に対して、紫外線放射ランプ３０からの直接光および反射鏡４０からの反射光が照射される結果、当該突条３の表面全面に紫外線が照射されるため、スクリュータイプのインプラント１に対する所要の紫外線照射処理を確実に行うことができる。
また、ステージ２０の表面が光反射面とされていることにより、紫外線放射ランプ３０からの紫外線が、ステージ２０の表面を介してインプラント１の各々における螺子部２に照射されるので、インプラント１に対する所要の紫外線照射処理を一層確実に行うことができる。
【００２２】
図４は、本発明のデンタルインプラント用光照射装置の更に他の例における筐体内部の構成を示す説明用正面図である。
この光照射装置においては、ステージ２０に一方向（図４において紙面に垂直な方向）に並ぶよう配置されて保持された複数のインプラント１からなるインプラント群（図２参照）における当該一方向に平行な両側に、それぞれインプラント１が並ぶ一方向に伸びる直管状の発光管３１を有する２つの紫外線放射ランプ３０が、インプラント１における螺子部２およびその周辺の空間領域を介して、互いに対向するよう配置され、それぞれ紫外線放射ランプ３０からの紫外線を反射する５つの平面ミラー４１が隣接する平面ミラー４１に対して例えば１２０°の角度で傾いた状態で順次に連結されて構成された反射鏡４０が、ステージ２０、当該ステージ２０に保持された複数のインプラント１からなるインプラント群、および紫外線放射ランプ３０を取り囲むよう配置されている。その他の構成は、図１および図２に示す光照射装置と同様である。
【００２３】
このような光照射装置においては、ステージ２０の保持部２２の各々に、インプラント１をその螺子部２の先端が上方を向くよう垂立した姿勢で保持させ、この状態で、紫外線放射ランプ３０の各々を点灯させることにより、インプラント１における螺子部２を形成する突条３に対して、当該紫外線放射ランプ３０からの紫外線が直接照射されると共に反射鏡４０およびステージ２０の表面の各々に反射されて照射される結果、当該突条３の表面全面に紫外線が照射され、更に、処理室１１内の雰囲気ガス中の酸素に紫外線放射ランプ３０からの紫外線が照射されることによって、当該処理室１１内にはオゾンが生成されてインプラント１の螺子部２に接触する。このように、インプラント１の螺子部２を形成する突条３の表面全面すなわち突条３の上面３ａおよび下面３ｂの両方に紫外線が照射されると共に、当該螺子部２にオゾンが接触することにより、当該インプラント１の螺子部２に付着した有機物が分解除去され、これにより、インプラント１の洗浄処理が達成される。
以上において、紫外線放射ランプ３０からの紫外線の照射時間、紫外線が照射されることによって生成されるオゾンの濃度、およびファン１６の作動時間は、図１および図２に示す光照射装置と同様である。
【００２４】
上記の光照射装置によれば、一方向に沿って並ぶよう配置された複数のインプラント１からなるインプラント群における当該一方向に平行な両側には、２つの紫外線放射ランプ３０が当該インプラント１における螺子部２およびその周辺の空間領域を介して、互いに対向するよう配置され、更に、紫外線放射ランプ３０からの紫外線を反射する反射鏡４０が、ステージ２０、当該ステージ２０に保持された複数のインプラント１からなるインプラント群、および紫外線放射ランプ３０を取り囲むよう配置されていることにより、複数のインプラント１の各々における螺子部２を形成する突条３に対して、紫外線放射ランプ３０からの直接光および反射鏡４０からの反射光が照射される結果、当該突条３の表面全面に紫外線が照射されるため、スクリュータイプのインプラント１に対する所要の紫外線照射処理を確実に行うことができる。
また、ステージ２０の表面が光反射面とされていることにより、紫外線放射ランプ３０からの紫外線が、ステージ２０の表面を介してインプラント１の各々における螺子部２に照射されるので、インプラント１に対する所要の紫外線照射処理を一層確実に行うことができる。
【００２５】
以上、本発明の光照射装置の実施の形態について説明したが、本発明は、これらの実施の形態に限定されず、種々の変更を加えることが可能である。
例えば、紫外線放射ランプ３０としては、空気中の酸素からオゾンを生成し得る紫外線を放射するものであれば、低圧水銀ランプに限られず、例えばキセノンガス等が封入されたエキシマランプなどを用いることができる。
また、紫外線放射ランプ３０および反射鏡４０の形態および配置位置は、インプラント１の各々の螺子部２を形成する突条３の表面全面に紫外線が照射されるものであれば、適宜設計することができ、例えば紫外線放射ランプ３０の発光管３１の形状は、Ｕ字管状および直管状のものに限られず、全体が直方体状のものであってもよい。
また、紫外線放射ランプ３０からの直接光のみによって、インプラント１の各々の螺子部２を形成する突条３の表面全面に紫外線が照射されれば、反射鏡４０は不要である。
【符号の説明】
【００２６】
１    インプラント
１Ｇ  インプラント群
２    螺子部
３    突条
３ａ  上面
３ｂ  下面
１０  筐体
１１  処理室
１２  オゾン除去室
１５  隔壁
１６  ファン
１７  オゾン除去フィルタ
２０  ステージ
２１  表面
２２  保持部
３０  紫外線放射ランプ
３１  発光管
３２  直線状部分
３３  湾曲部分
４０  反射鏡
４１  平面ミラー
【図１】
0005387537.tif 000002
【図２】
0005387537.tif 000003
【図３】
0005387537.tif 000004
【図４】
0005387537.tif 000005